(57)【特許請求の範囲】
【請求項１】
傾斜部分を有するガイドレールに案内されて昇降するエレベータのかごにおいて、
上記ガイドレールの傾斜に伴って傾斜する側壁と、
周囲を上記側壁によって囲われて上記ガイドレールの傾斜相当角度だけ反傾斜方向に回転して水平を保持する可動床と、
この可動床よりも上位で、かつ水平方向へ向けて上記側壁に形成された開口と、
下端が上記可動床の端部に取り付けられて上記側壁の内側に沿って立ち上がり、途中で上記側壁の上記開口を遊貫して上記側壁の外側へ出て更に立ち上がり、上記可動床の回転に伴って上下する可撓性部材からなる安全帯と、
上記側壁の外側に取り付けられて上記安全帯の上部を進退自在に収納する収納袋とを備えたエレベータのかご。
【請求項２】
可動床を、中間部で軸支されて両端部が相反する方向へ上下動して水平を保持するものとし、安全帯を、上記可動床の上記両端部に取り付けられて共に上下動するものとした請求項１に記載のエレベータのかご。
【発明の詳細な説明】
【０００１】
【発明の属する技術分野】
この発明は、一部が傾斜したガイドレールに案内されて昇降するエレベータのかごに関する。
【０００２】
【従来の技術】
かごを案内するガイドレールは、通常昇降路内に垂直に立設されるものであるが、例えば吊り橋の橋脚に据え付けられるエレベータでは、昇降路が橋脚に沿って屈曲する場合がある。
図５から図７は、昇降路が屈曲するため、この昇降路に沿ってガイドレールが一部傾斜して取り付けられ、このガイドレールに案内されて昇降する従来のエレベータのかごを示す。
【０００３】
即ち、ガイドレール１は、符号ｈで示す部分が垂直方向に対して、角度αだけ反時計方向に傾斜して取り付けられており、この傾斜部分ｈの上部及び下部は垂直に取り付けられている。
かご２は、上梁４、縦枠５及び下枠６からなるかご枠と、下枠６に取り付けられた側壁７と、この側壁７に周囲を囲まれた可動床８と、この可動床８を中央部で軸支する軸９と、下枠６に取り付けられて可動床８の一端を上下させる油圧ジャッキ１０とを具備する。
かご２は、上梁４に係止された主索３に吊持され、ガイドレール１に案内されて昇降する。ガイドレール１が垂直に立設されている部分では、かご２は図５に符号２ａで示すとおり、垂直に吊持されている。従って、側壁７は符号７ａで示すとおり垂直であり、可動床８は符号８ａで示すとおり水平になっている。
【０００４】
傾斜部分ｈでは、かご２はガイドレール１に沿って傾斜し、側壁７も同様に傾斜する。但し、可動床８は、中間部で軸９によって軸支され、一端部で油圧ジャッキ１０によって持ち上げられると、軸９を中心として時計方向へ角度αだけ回転して水平に保たれる。このため、かご２内の乗客は、かご２が傾斜しても違和感はない。
【０００５】
【発明が解決しようとする課題】
しかし、油圧ジャッキ１０と反対側の可動床８の端部は下降するため、側壁７との隙間は減少する。即ち、かご２が傾斜していないときは、図６に示すとおり寸法β１であったものが、かご２が傾斜した状態では、図７に示すとおり上記隙間は寸法β２となる。即ち、かご２の傾斜に伴って上記隙間は、寸法β１から寸法β２に減少する。このような寸法の変化によって、例えば、乗客１１が上記隙間に靴先を挟まれることが危惧される、という問題があった。
【０００６】
この発明は、上記問題点を解決するためになされたものであり、可動床が上下に移動することによって生ずる可動床とかごの側壁との隙間の寸法の変化に対して乗客を保護することを目的とする。
【０００７】
【課題を解決するための手段】
この発明に係る第１のエレベータのかごは、傾斜部分を有するガイドレールに案内されて昇降するかごであって、上記ガイドレールの傾斜に伴って傾斜する側壁と、周囲を上記側壁によって囲われて上記ガイドレールの傾斜相当角度だけ反傾斜方向に回転して水平を保持する可動床と、この可動床よりも上位で、かつ水平方向へ向けて上記側壁に形成された開口と、下端が上記可動床の端部に取り付けられて上記側壁の内側に沿って立ち上がり、途中で上記側壁の上記開口を遊貫して上記側壁の外側へ出て更に立ち上がり、上記可動床の回転に伴って上下する可撓性部材からなる安全帯と、上記側壁の外側に取り付けられて上記安全帯の上部を進退自在に収納する収納袋とを備えたものである。
【０００８】
また、この発明に係る第２のエレベータのかごは、第１のエレベータのかごにおいて、可動床を、中間部で軸支されて両端部が相反する方向へ上下動して水平を保持するものとし、安全帯を、上記可動床の上記両端部に取り付けるようにしたものである。
【０００９】
【発明の実施の形態】
実施の形態１．
図１から図３は、この発明の実施の形態１を示す。図において、１は昇降路内に垂直に立設されたガイドレールで、部分的に垂直方向に対して角度αだけ反時計方向へ傾斜している。２はガイドレール１に案内されて昇降路内を昇降するかご、６はかご２の下部中央を間口方向に横断して荷重を支える下枠で、ガイドレール１の傾斜と共に傾斜する。７は下枠６に取り付けられて立設され、ガイドレール１の傾斜に伴って傾斜するかご２の側壁、８は周囲を側壁７によって囲われた可動床で、ガイドレール１の傾斜相当角度だけ反傾斜方向に回転して水平を保持する。
【００１０】
９は可動床８を中間部で軸支する軸で、可動床８の両端部を相反する方向へ上下動させて水平保持を可能とする。１０は下枠６に取り付けられて可動床８の一端を上下させて可動床８を水平に保つ油圧ジャッキ、１２は下端が可動床８の一方の端部に取り付けられて側壁７に沿って立ち上がり、可動床８の回転に伴って上下する安全帯で、ゴム又はポリ塩化ビニル材等の可撓性材料からなる。１３は側壁７の内側に取り付けられて安全帯１２の上部を進退自在に収納する収納袋、１４は下端が可動床８の他方の端部に取り付けられて側壁７に沿って立ち上がり、可動床８の回転に伴って上下する安全帯で、安全帯１２と同様の構成を有する。１５は側壁７の内側に取り付けられて安全帯１４の上部を進退自在に収納する収納袋である。
【００１１】
まず、かご２がガイドレール１の垂直部分を昇降する場合は、図２に示すとおり、下枠６は水平であり、従って、側壁７も同様に垂直である。左右の安全帯１２及び１４は、それぞれ上部を等分の長さだけ収納袋１３及び１５に没入させている。
次に、かご２がガイドレール１の傾斜部分を昇降する場合、図３に示すとおり、下枠６は水平方向に対して角度αだけ傾斜し、側壁７も同様に傾斜する。しかし、可動床８は、油圧ジャッキ１０によって押し上げられて軸９を支点として時計方向に回転して水平を保持する。このため、安全帯１２も上昇して上部を更に収納袋１３内に没入させる。一方、安全帯１４は下降して上部の一部を収納袋１５から退出させる。
【００１２】
更に、かご２がガイドレール１の傾斜部分から、再び垂直部分に移行した場合、油圧ジャッキ１０が縮小して可動床８は軸９を支点として反時計方向に回転し、水平を保持する。これに伴って、安全帯１２は、それまで収納袋１３に収納されていた上部の一部を収納袋１３から退出させる。一方、安全帯１４は上昇して上部を収納袋１３内に没入させる。
なお、油圧ジャッキ１０は、かご２がガイドレール１の垂直部分から傾斜部分への移行に伴って、逆に傾斜部分から垂直部分への移行に伴って伸縮するように制御される。その方法は、上記傾斜部分の存在する範囲は予め定められているので、例えば、かご２が第１の所定位置に到達したことを検出して、垂直部分から傾斜部分へ移行するものとし、油圧ジャッキ１０を徐徐に伸長させ、かご２が完全に傾斜部分に移行した場合に、油圧ジャッキ１０が所定量伸長し終えるようにする。
更に、かご２が第２の所定位置に到達したことを検出して、傾斜部分から垂直部分へ移行するものとし、油圧ジャッキ１０を徐徐に縮小させ、かご２が完全に傾斜部分から脱却して垂直部分に移行した場合に、油圧ジャッキ１０が所定量縮小し終えるようにする。
【００１３】
上記実施の形態１によれば、傾斜部分を有するガイドレール１に案内されて昇降するエレベータのかご２において、可動床８の両端部に安全帯１２及び１４を取り付け、この安全帯１２及び１４で可動床８の両端部と対向する部位の側壁７を覆ったので、かご２がガイドレール１の傾斜部分と垂直部分を昇降するのに伴って可動床８が軸９を支点として上下して可動床８の端部と側壁７との隙間寸法が変化しても乗客の足を挟むことはない。
【００１４】
実施の形態２．
図４は、この発明の実施の形態２を示す。実施の形態１では、収納袋１３及び１５を側壁７の内側に凸設したが、この実施の形態２では、収納袋１７及び１８を側壁７の外側に凸設したものである。即ち、可動床８の一方の端部に取り付けられた安全帯１６は、一旦側壁７に沿って立ち上がり、途中で側壁７に形成された開口１７ａを遊貫して側壁７の外側へ出て立ち上がり、上部が側壁７の外側に取り付けられた収納袋１７に収納されるように構成されている。また、可動床８の他方の端部に取り付けられた安全帯１８も同様に収納袋１９に収納されるように構成されている。
【００１５】
上記実施の形態２によっても、可動床８の両端部に取り付けた安全帯１６及び１８で可動床８の両端部と対向する部位の側壁７を覆ったので、かご２がガイドレール１の傾斜部分と垂直部分を昇降するのに伴って可動床８が軸９を支点として上下して可動床８の端部と側壁７との隙間寸法が変化しても乗客の足を挟むことはない。
また、収納袋１７及び１８は側壁７の外側に設けられたので、かご２内の利用空間が縮減されることもない。
【００１６】
【発明の効果】
この発明は以上述べたとおり構成されているので、以下に示す効果を奏する。
この発明に係る第１のエレベータのかごは、傾斜部分を有するガイドレールに案内されて昇降するかごであって、上記ガイドレールの傾斜に伴って傾斜する側壁と、周囲を上記側壁によって囲われて上記ガイドレールの傾斜相当角度だけ反傾斜方向に回転して水平を保持する可動床と、この可動床よりも上位で、かつ水平方向へ向けて上記側壁に形成された開口と、下端が上記可動床の端部に取り付けられて上記側壁の内側に沿って立ち上がり、途中で上記側壁の上記開口を遊貫して上記側壁の外側へ出て更に立ち上がり、上記可動床の回転に伴って上下する可撓性部材からなる安全帯と、上記側壁の外側に取り付けられて上記安全帯の上部を進退自在に収納する収納袋とを備えたものである。
即ち、可動床の両端部に取り付けられた安全帯で対向する部位の側壁を覆ったので、かごがガイドレールの傾斜部分と垂直部分を昇降するのに伴って可動床が上下しても、可動床と側壁との間に乗客が挟まれることはない、という効果を奏する。
また、収納袋は側壁の外側に設けられたので、かご内の利用空間が縮減されることもない、という効果も奏する。
【００１７】
また、この発明に係る第２のエレベータのかごは、第１のエレベータのかごにおいて、可動床を、中間部で軸支されて両端部が相反する方向へ上下動して水平を保持するようにし、安全帯を、上記可動床の上記両端部に取り付けたものである。従って、このものにあっても、上記第１のエレベータのかごと同様の効果を奏する。
【図面の簡単な説明】
【図１】この発明の実施の形態１におけるエレベータのかごの要部を示す斜視図。
【図２】この発明の実施の形態１における垂直状態のかごの要部を示す正面図。
【図３】この発明の実施の形態１における傾斜状態のかごの要部を示す正面図。
【図４】この発明の実施の形態２におけるエレベータのかごの要部を示す斜視図。
【図５】従来のエレベータのかごの要部を示す昇降路縦断面図。
【図６】従来のエレベータの垂直状態のかごの要部を示す正面図。
【図７】従来のエレベータの傾斜状態のかごの要部を示す正面図。
【符号の説明】
１  ガイドレール、  ２  かご、  ６  下枠、  ７  側壁、  ８  可動床、  ９  軸、  １０  油圧ジャッキ、  １２  安全帯、  １３  収納袋、  １４  安全帯、  １５  収納袋、  １６  安全帯、  １７  収納袋、  １７ａ  開口、  １８  安全帯、  １９  収納袋。
【図１】
0003602363.tif 000002
【図２】
0003602363.tif 000003
【図３】
0003602363.tif 000004
【図４】
0003602363.tif 000005
【図５】
0003602363.tif 000006
【図６】
0003602363.tif 000007
【図７】
0003602363.tif 000008